(57)【要約】【課題】ユーザが意図した帳票を形成することができるようにした画像処理装置および画像処理装置の制御方法および画像形成装置およびデジタルスチルカメラ印刷システムを提供すること目的とする。【解決手段】画像を入力するための画像入力手段と、複数の画像を配置した所定書式の帳票を作成するための帳票データを少なくとも１つ記憶した帳票データ記憶手段と、前記帳票データ記憶手段に記憶したいずれかの帳票データを選択する帳票データ選択手段と、前記帳票データ選択手段により選択された帳票データを前記帳票データ記憶手段より読み出し、前記画像入力手段より入力された画像データを前記選択された帳票データに従って配置するとともに、前記選択された帳票データに含まれる書式情報に従って画像を生成して合成する画像合成手段を備え、前記画像合成手段は、入力した画像データの数に応じて前記選択された帳票データに含まれる書式情報のうち合成するものを選択するようにした。【選択図】        図１
2006086580.tif 000002
【特許請求の範囲】
【請求項１】
複数の画像を入力し対応する入力画像データを作成する画像入力手段と、
複数の画像を配置した所定書式の帳票を作成するための帳票データを少なくとも１つ記憶した記憶手段と、
前記記憶手段に記憶したいずれかの帳票データを選択し前記記憶手段より読み出す帳票データ選択手段と、
前記帳票データ選択手段により選択された特定の帳票データと該帳票データに含まれるページ内に配置する画像および描画要素に関する情報をあらわす書式情報に従って、前記画像入力手段から入力された入力画像データを配置するとともに前記描画要素を合成して出力画像を生成する画像合成手段を備え、
前記画像合成手段は、入力した前記入力画像データの数に応じて、前記選択された帳票データに含まれる書式情報のうち使用するものを選択することを特徴とする画像処理装置。
【請求項２】
前記帳票データの書式情報には、
ページ内での前記入力画像データの配置態様をあらわすレイアウト情報と、
ページ内に付加する描画要素に関する付加情報が含まれることを特徴とする請求項１記載の画像処理装置。
【請求項３】
前記付加情報には、それぞれの前記入力画像データに関連づけて任意の位置に付加する画像データである画像関連付加描画データと、
前記入力画像データには関連せずにおのおののページに固定的に付加される画像データである固定付加描画データが含まれることを特徴とする請求項２記載の画像処理装置。
【請求項４】
前記画像関連付加描画データおよび前記固定付加描画データは、図形文字を付加するための文字描画データ、罫線要素を付加するための罫線描画データ、グラフィック要素を付加するためのグラフィック描画データ、または、イメージ要素を付加するためのイメージ描画データのうち１つ、あるいは、２つ以上の任意の組合せからなることを特徴とする請求項３記載の画像処理装置。
【請求項５】
複数の画像を入力し対応する入力画像データを作成する画像入力機能と、
複数の画像を配置した所定書式の帳票を作成するための帳票データを少なくとも１つ記憶した記憶機能と、
前記記憶機能に記憶したいずれかの帳票データを選択し前記記憶手段より読み出す帳票データ選択機能と、
前記帳票データ選択機能により選択された特定の帳票データと該帳票データに含まれるページ内に配置する画像および描画要素に関する情報をあらわす書式情報に従って、前記画像入力手段から入力された入力画像データを配置するとともに前記描画要素を合成して出力画像を生成する画像合成機能を備え、
前記画像合成機能は、入力した前記入力画像データの数に応じて、前記選択された帳票データに含まれる書式情報のうち使用するものを選択することを特徴とする画像処理装置の制御方法。
【請求項６】
前記帳票データの書式情報には、
ページ内での前記入力画像データの配置態様をあらわすレイアウト情報と、
ページ内に付加する描画要素に関する付加情報が含まれることを特徴とする請求項５記載の画像処理装置の制御方法。
【請求項７】
前記付加情報には、それぞれの前記入力画像データに関連づけて任意の位置に付加する画像データである画像関連付加描画データと、
前記入力画像データには関連せずにおのおののページに固定的に付加される画像データである固定付加描画データが含まれることを特徴とする請求項６記載の画像処理装置の制御方法。
【請求項８】
前記画像関連付加描画データおよび前記固定付加描画データは、図形文字を付加するための文字描画データ、罫線要素を付加するための罫線描画データ、グラフィック要素を付加するためのグラフィック描画データ、または、イメージ要素を付加するためのイメージ描画データのうち１つ、あるいは、２つ以上の任意の組合せからなることを特徴とする請求項７記載の画像処理装置の制御方法。
【請求項９】
複数の画像を入力し対応する入力画像データを作成する画像入力手段と、
複数の画像を配置した所定書式の帳票を作成するための帳票データを少なくとも１つ記憶した記憶手段と、
前記記憶手段に記憶したいずれかの帳票データを選択し前記記憶手段より読み出す帳票データ選択手段と、
前記帳票データ選択手段により選択された特定の帳票データと該帳票データに含まれるページ内に配置する画像および描画要素に関する情報をあらわす書式情報に従って、前記画像入力手段から入力された入力画像データを配置するとともに前記描画要素を合成して出力画像を生成する画像合成手段と、
前記画像合成手段が合成した画像を記録出力する記録出力手段を備え、
前記画像合成手段は、入力した前記入力画像データの数に応じて、前記選択された帳票データに含まれる書式情報のうち使用するものを選択することを特徴とする画像形成装置。
【請求項１０】
前記画像入力手段は、所定の通信機能を備え、外部装置より画像を受信する画像受信手段からなることを特徴とする請求項９記載の画像形成装置。
【請求項１１】
前記帳票データの書式情報には、
ページ内での前記入力画像データの配置態様をあらわすレイアウト情報と、
ページ内に付加する描画要素に関する付加情報が含まれることを特徴とする請求項９または請求項１０記載の画像形成装置。
【請求項１２】
前記付加情報には、それぞれの前記入力画像データに関連づけて任意の位置に付加する画像データである画像関連付加描画データと、
前記入力画像データには関連せずにおのおののページに固定的に付加される画像データである固定付加描画データが含まれることを特徴とする請求項１１記載の画像形成装置。
【請求項１３】
前記画像関連付加描画データおよび前記固定付加描画データは、図形文字を付加するための文字描画データ、罫線要素を付加するための罫線描画データ、グラフィック要素を付加するためのグラフィック描画データ、または、イメージ要素を付加するためのイメージ描画データのうち１つ、あるいは、２つ以上の任意の組合せからなることを特徴とする請求項１２記載の画像形成装置。
【請求項１４】
撮影したデジタル画像を記憶媒体に記憶するとともに、外部装置へ接続し、その外部装置との間でデータをやりとりする機能を備えたデジタルスチルカメラと、このデジタルスチルカメラに接続してデジタルスチルカメラとの間でデータをやりとりする機能を備え、デジタルスチルカメラから受信した画像データを印刷する印刷装置からなるデジタルスチルカメラ印刷システムにおいて、
前記印刷装置は、
複数の画像を配置した所定書式の帳票を作成するための帳票データを少なくとも１つ記憶した記憶手段と、
前記記憶手段に記憶したいずれかの帳票データを選択し前記記憶手段より読み出す帳票データ選択手段と、
前記帳票データ選択手段により選択された特定の帳票データと該帳票データに含まれるページ内に配置する画像および描画要素に関する情報をあらわす書式情報に従って、前記デジタルスチルカメラより受信した入力画像データを配置するとともに前記描画要素を合成して出力画像を生成する画像合成手段を備え、
前記画像合成手段は、入力した前記入力画像データの数に応じて、前記選択された帳票データに含まれる書式情報のうち使用するものを選択することを特徴とするデジタルスチルカメラ印刷システム。
【請求項１５】
前記帳票データの書式情報には、
ページ内での前記入力画像データの配置態様をあらわすレイアウト情報と、
ページ内に付加する描画要素に関する付加情報が含まれることを特徴とする請求項１４記載のデジタルスチルカメラ印刷システム。
【請求項１６】
前記付加情報には、それぞれの前記入力画像データに関連づけて任意の位置に付加する画像データである画像関連付加描画データと、
前記入力画像データには関連せずにおのおののページに固定的に付加される画像データである固定付加描画データが含まれることを特徴とする請求項１５記載のデジタルスチルカメラ印刷システム。
【請求項１７】
前記画像関連付加描画データおよび前記固定付加描画データは、図形文字を付加するための文字描画データ、罫線要素を付加するための罫線描画データ、グラフィック要素を付加するためのグラフィック描画データ、または、イメージ要素を付加するためのイメージ描画データのうち１つ、あるいは、２つ以上の任意の組合せからなることを特徴とする請求項１６記載のデジタルスチルカメラ印刷システム。
【発明の詳細な説明】
【技術分野】
【０００１】
本発明は、入力した画像データと帳票データとを合成した画像を形成する画像処理装置および画像処理装置の制御方法および画像形成装置およびデジタルスチルカメラ印刷システムに関する。
【背景技術】
【０００２】
従来、気軽な画像データ作成手段として、撮影したデジタル画像を記憶媒体に記憶するとともに、外部装置へ接続し、その外部装置との間でデータをやりとりする機能を備えたデジタルスチルカメラが飛躍的に普及している。
【０００３】
このようなデジタルスチルカメラで撮影された画像を印刷する場合は、デジタルスチルカメラに備えられたメモリカード等に記録された画像をパーソナルコンピュータ装置に一度取り込んでから、画像の閲覧や加工が行えるようなアプリケーションを立ち上げ、そのパーソナルコンピュータ装置に接続されたプリンタ装置へ、プリンタドライバを介して出力することが一般的である。
【０００４】
しかし、一般のユーザにとってはデジタルスチルカメラ内の画像をプリンタに転送する手間がわずらわしかったり、また画像をプリントアウトするためのアプリケーション操作やプリンタドライバの設定をする必要があるため、パーソナルコンピュータ装置にあまり詳しくないユーザにとっては敷居の高いものとなってしまっている。
【０００５】
そのためこの点を顧みて、パーソナルコンピュータ装置を用いずにデジタルスチルカメラとプリンタとを直接接続することで、直接デジタルスチルカメラ内の画像をプリントアウトできるようなダイレクトプリントシステムの規格が定められ、デジタルスチルカメラおよびプリンタ双方でその規格をサポートした商品が普及しつつある。
【０００６】
しかし、このダイレクトプリントは各社共通の通信コマンドフォーマットであり、またデジタルスチルカメラのユーザインタフェース手段を操作して選択を行い出力を行う方法であるため複雑な印刷指定は用意されておらず、パーソナルコンピュータ装置からの出力と比べれば機能を限定された出力しかできない。
【０００７】
例えば、１枚の用紙に１枚の画像を出力するのみだったり、また１枚の用紙に複数の画像を出力できる場合でも、細かなレイアウト指定が可能というわけではないため、ユーザ好みの出力結果が得られないという状況である。
【０００８】
また、デジタルスチルカメラとプリンタとの直接接続によるデジタルスチルカメラ印刷システムは、基本的に撮影した画像を銀塩写真で撮影したフィルムを印画紙に出力したような形で出力することを目的としており、例えば画像を出力した用紙にメモを加筆できるような領域を含むような出力や、画像を添付することを目的とした定形フォーマット（例えば、報告書や会議の議事録、履歴書や写真付名刺など）を直接出力できるわけではない。
【０００９】
そのため、デジタルスチルカメラで撮影した画像を用いた報告書等の文書を作成するためには、やはり一度パーソナルコンピュータ装置に取り込んでからアプリケーションソフトを立ち上げ、取り込んだ画像を用いて文書を作成し、印刷を行うという手間が発生していた。
【００１０】
このような事情から、例えば、デジタルスチルカメラに拡張的に取り付けられた画像合成ユニットを用いて背景画像と前景画像（撮影して得たデジタル画像）とを合成し、印刷装置へ送って印刷出力させるようにしたもの（特許文献１参照）や、印刷装置に接続されたパーソナルコンピュータ装置から背景用データを印刷装置へ送り、この背景用データと、デジタルスチルカメラから送られた印刷用のデジタル画像データとを合成し、合成後の画像を印刷出力するようにしたもの（特許文献２参照）や、あらかじめ作成した画像をデジタルスチルカメラに保持し、撮影したデジタル画像と保持している画像とを合成し、合成後の画像を印刷装置へ送って印刷出力するようにしたもの（特許文献３参照）が提案されている。
【特許文献１】特開平１１−８８３１号公報
【特許文献２】特開２０００−７１５７５号公報
【特許文献３】特開２００２−１６８３３号公報
【発明の開示】
【発明が解決しようとする課題】
【００１１】
しかしながら、このような従来装置では、次のような不都合を生じていた。
【００１２】
すなわち、ユーザは手軽にデジタルスチルカメラで撮影した画像と、帳票パターンとの合成出力を行うことができるが、その反面、合成出力時に用いられる画像のファイル数と合成を行う帳票パターンとの組み合わせにより、ユーザの期待する結果とは異なるものが出力される可能性があった。
【００１３】
例えば、１枚の用紙中に１０個の画像を合成可能な帳票パターンにもかかわらず、ユーザが出力指示した画像数が１０個に満たない場合では、画像が配置されない部分についても、罫線や文字などの帳票データの描画要素が描画され、その結果、ユーザの意図しない不自然な空白部分や罫線、文字が含まれた出力が得られてしまうという事態を生じる。
【００１４】
本発明は、かかる実情に鑑みてなされたものであり、ユーザが意図しない描画を抑制することができ、簡易で見栄えがよく、利便性が高い帳票を合成した画像を出力することができるようにした画像処理装置および画像処理装置の制御方法および画像形成装置およびデジタルスチルカメラ印刷システムを提供すること目的とする。
【課題を解決するための手段】
【００１５】
本発明は、複数の画像を入力し対応する入力画像データを作成する画像入力手段と、複数の画像を配置した所定書式の帳票を作成するための帳票データを少なくとも１つ記憶した記憶手段と、前記記憶手段に記憶したいずれかの帳票データを選択し前記記憶手段より読み出す帳票データ選択手段と、前記帳票データ選択手段により選択された特定の帳票データと該帳票データに含まれるページ内に配置する画像および描画要素に関する情報をあらわす書式情報に従って、前記画像入力手段から入力された入力画像データを配置するとともに前記描画要素を合成して出力画像を生成する画像合成手段を備え、前記画像合成手段は、入力した前記入力画像データの数に応じて、前記選択された帳票データに含まれる書式情報のうち使用するものを選択するようにした画像処理装置である。また、前記帳票データの書式情報には、ページ内での前記入力画像データの配置態様をあらわすレイアウト情報と、ページ内に付加する描画要素に関する付加情報が含まれる。また、前記付加情報には、それぞれの前記入力画像データに関連づけて任意の位置に付加する画像データである画像関連付加描画データと、前記入力画像データには関連せずにおのおののページに固定的に付加される画像データである固定付加描画データが含まれる。また、前記画像関連付加描画データおよび前記固定付加描画データは、図形文字を付加するための文字描画データ、罫線要素を付加するための罫線描画データ、グラフィック要素を付加するためのグラフィック描画データ、または、イメージ要素を付加するためのイメージ描画データのうち１つ、あるいは、２つ以上の任意の組合せからなる。
【００１６】
また、複数の画像を入力し対応する入力画像データを作成する画像入力機能と、複数の画像を配置した所定書式の帳票を作成するための帳票データを少なくとも１つ記憶した記憶機能と、前記記憶機能に記憶したいずれかの帳票データを選択し前記記憶手段より読み出す帳票データ選択機能と、前記帳票データ選択機能により選択された特定の帳票データと該帳票データに含まれるページ内に配置する画像および描画要素に関する情報をあらわす書式情報に従って、前記画像入力手段から入力された入力画像データを配置するとともに前記描画要素を合成して出力画像を生成する画像合成機能を備え、前記画像合成機能は、入力した前記入力画像データの数に応じて、前記選択された帳票データに含まれる書式情報のうち使用するものを選択することを特徴とする画像処理装置の制御方法である。また、前記帳票データの書式情報には、ページ内での前記入力画像データの配置態様をあらわすレイアウト情報と、ページ内に付加する描画要素に関する付加情報が含まれる。また、前記付加情報には、それぞれの前記入力画像データに関連づけて任意の位置に付加する画像データである画像関連付加描画データと、前記入力画像データには関連せずにおのおののページに固定的に付加される画像データである固定付加描画データが含まれる。また、前記画像関連付加描画データおよび前記固定付加描画データは、図形文字を付加するための文字描画データ、罫線要素を付加するための罫線描画データ、グラフィック要素を付加するためのグラフィック描画データ、または、イメージ要素を付加するためのイメージ描画データのうち１つ、あるいは、２つ以上の任意の組合せからなる。
【００１７】
また、複数の画像を入力し対応する入力画像データを作成する画像入力手段と、複数の画像を配置した所定書式の帳票を作成するための帳票データを少なくとも１つ記憶した記憶手段と、前記記憶手段に記憶したいずれかの帳票データを選択し前記記憶手段より読み出す帳票データ選択手段と、前記帳票データ選択手段により選択された特定の帳票データと該帳票データに含まれるページ内に配置する画像および描画要素に関する情報をあらわす書式情報に従って、前記画像入力手段から入力された入力画像データを配置するとともに前記描画要素を合成して出力画像を生成する画像合成手段と、前記画像合成手段が合成した画像を記録出力する記録出力手段を備え、前記画像合成手段は、入力した前記入力画像データの数に応じて、前記選択された帳票データに含まれる書式情報のうち使用するものを選択することを特徴とする画像形成装置である。また、前記画像入力手段は、所定の通信機能を備え、外部装置より画像を受信する画像受信手段からなる。また、前記帳票データの書式情報には、ページ内での前記入力画像データの配置態様をあらわすレイアウト情報と、ページ内に付加する描画要素に関する付加情報が含まれる。また、前記付加情報には、それぞれの前記入力画像データに関連づけて任意の位置に付加する画像データである画像関連付加描画データと、前記入力画像データには関連せずにおのおののページに固定的に付加される画像データである固定付加描画データが含まれる。また、前記画像関連付加描画データおよび前記固定付加描画データは、図形文字を付加するための文字描画データ、罫線要素を付加するための罫線描画データ、グラフィック要素を付加するためのグラフィック描画データ、または、イメージ要素を付加するためのイメージ描画データのうち１つ、あるいは、２つ以上の任意の組合せからなる。
【００１８】
また、撮影したデジタル画像を記憶媒体に記憶するとともに、外部装置へ接続し、その外部装置との間でデータをやりとりする機能を備えたデジタルスチルカメラと、このデジタルスチルカメラに接続してデジタルスチルカメラとの間でデータをやりとりする機能を備え、デジタルスチルカメラから受信した画像データを印刷する印刷装置からなるデジタルスチルカメラ印刷システムにおいて、前記印刷装置は、複数の画像を配置した所定書式の帳票を作成するための帳票データを少なくとも１つ記憶した記憶手段と、前記記憶手段に記憶したいずれかの帳票データを選択し前記記憶手段より読み出す帳票データ選択手段と、前記帳票データ選択手段により選択された特定の帳票データと該帳票データに含まれるページ内に配置する画像および描画要素に関する情報をあらわす書式情報に従って、前記デジタルスチルカメラより受信した入力画像データを配置するとともに前記描画要素を合成して出力画像を生成する画像合成手段を備え、前記画像合成手段は、入力した前記入力画像データの数に応じて、前記選択された帳票データに含まれる書式情報のうち使用するものを選択するようにしたものである。また、前記帳票データの書式情報には、ページ内での前記入力画像データの配置態様をあらわすレイアウト情報と、ページ内に付加する描画要素に関する付加情報が含まれる。また、前記付加情報には、それぞれの前記入力画像データに関連づけて任意の位置に付加する画像データである画像関連付加描画データと、前記入力画像データには関連せずにおのおののページに固定的に付加される画像データである固定付加描画データが含まれる。また、前記画像関連付加描画データおよび前記固定付加描画データは、図形文字を付加するための文字描画データ、罫線要素を付加するための罫線描画データ、グラフィック要素を付加するためのグラフィック描画データ、または、イメージ要素を付加するためのイメージ描画データのうち１つ、あるいは、２つ以上の任意の組合せからなる。
【発明の効果】
【００１９】
したがって、本発明によれば、合成処理する帳票データのようなフォーマット描画データを固定的に描画するのではなく、画像数に応じて描画するように変動させることで、不自然な合成結果を招くことなく、柔軟性の高い帳票印刷を行うことができるという効果を得る。
【発明を実施するための最良の形態】
【００２０】
以下、添付図面を参照しながら、本発明の実施の形態を詳細に説明する。
【００２１】
図１は、本発明の一実施例にかかるデジタルスチルカメラ印刷システムの一例を示している。
【００２２】
同図において、デジタルスチルカメラ装置ＤＳＣは、撮影して得たデジタル画像データをメモリ媒体（記憶媒体；後述）に保存するとともに、印刷装置ＰＴＲに接続し、印刷指示するファイル情報を印刷装置ＰＴＲに転送する機能を備えている。また、印刷装置ＰＴＲに転送する印刷ファイル情報には、１つ以上のデジタル画像データ（画像情報）を含むことができる。
【００２３】
一方、印刷装置ＰＴＲは、定型書式の帳票データが複数記憶されていて、ユーザは、いずれかの帳票データを指定した状態で、デジタルスチルカメラ装置ＤＳＣから受信する画像データの印刷を指定することができる。
【００２４】
そして、印刷装置ＰＴＲは、デジタルスチルカメラ装置ＤＳＣより印刷ファイル情報を受信すると、帳票データが指定されている場合には、その帳票データに従って受信した画像情報を印刷するページ上にレイアウトするとともに、帳票データに含まれる情報要素の内容を印刷するページ上に描画することで、記録画像データを合成し、合成後の記録画像データの画像を印刷出力する。また、帳票データが指定されていない場合には、デジタルスチルカメラ装置ＤＳＣより受信した印刷ファイル情報の画像を印刷出力する。
【００２５】
ここで、デジタルスチルカメラ装置ＤＳＣは、印刷装置ＰＴＲ等の外部装置と接続してデータをやりとりするための外部通信ユニットを備えている。この外部通信ユニットとしては、例えば、ＵＳＢ（Ｕｎｉｖｅｒｓａｌ  Ｓｅｒｉａｌ  Ｂｕｓ）等の汎用通信ユニットを備えている。
【００２６】
そして、デジタルスチルカメラ装置ＤＳＣを印刷装置ＰＴＲへ接続したとき、デジタルスチルカメラ装置ＤＳＣと印刷装置ＰＴＲとの間のデータのやりとりは、ＰｉｃｔＢｒｉｄｇｅ（ＣＩＰＡ（有限責任中間法人カメラ映像機器工業会）規格ＣＩＰＡ  ＤＣ−  ００１−２００３  Ｄｉｇｉｔａｌ  Ｐｈｏｔｏ  Ｓｏｌｕｔｉｏｎｓ  ｆｏｒ  Ｉｍａｇｉｎｇ  Ｄｅｖｉｃｅｓ）に準じたプロトコル、および、データ形式を適用して行われる。
【００２７】
図２は、デジタルスチルカメラ装置ＤＳＣの構成の一例を示している。
【００２８】
同図において、システム制御部１は、このデジタルスチルカメラ装置ＤＳＣの各部の動作制御、メモリ媒体ＭＣに対するデータの読出書込制御、撮影制御、外部通信ユニットを介して行う外部装置との間の通信制御、および、ユーザがこのデジタルスチルカメラ装置ＤＳＣを操作する際の種々のユーザ・インタフェース処理等の種々のデータ処理を行うためのものであり、システムメモリ２は、システム制御部１が実行する種々の制御プログラムを記憶するとともに、システム制御部１のワークエリアを構成するものであり、パラメータメモリ３は、このデジタルスチルカメラ装置ＤＳＣに固有な種々の情報を記憶するためのものであり、時計回路４は、現在時刻情報等を出力するためのものである。
【００２９】
メモリ媒体リーダライタ５は、メモリ媒体ＭＣを着脱するとともに、装着されているメモリ媒体ＭＣに対するデータの読出書込を行うためのものであり、撮影ユニット６は、カメラ撮影のためのカメラ機構、光学系および光電変換ユニットからなるものであり、表示部７は、ユーザに対して種々の情報を表示するものであり、例えば、液晶表示器からなる。また、操作部８は、ユーザがこのデジタルスチルカメラ装置ＤＳＣを操作するためのものであり、種々のキー等から構成される。
【００３０】
外部通信ユニット９は、ＵＳＢ等の汎用通信ユニットからなり、印刷装置ＰＴＲ等の外部装置に接続し、これらの外部装置との間でデータのやりとりを行うためのものである。
【００３１】
これらのシステム制御部１、システムメモリ２、パラメータメモリ３、時計回路４、メモリ媒体リーダライタ５、撮影ユニット６、表示部７、操作部８、および、外部通信ユニット９は、内部バス１０に接続され、これらの各部のデータのやりとりは、主としてこの内部バス１０を介して行われる。
【００３２】
図３は、印刷装置ＰＴＲの構成例を示している。
【００３３】
同図において、システム制御部２１は、この印刷装置ＰＴＲの各部の動作制御、給紙制御、印刷制御、外部通信ユニットを介して行う外部装置との間の通信制御、および、ユーザがこの印刷装置ＰＴＲを操作する際の種々のユーザ・インタフェース処理等の種々のデータ処理を行うためのものであり、システムメモリ２２は、システム制御部２１が実行する種々の制御プログラムを記憶するとともに、システム制御部２１のワークエリアを構成するものであり、パラメータメモリ２３は、この印刷装置ＰＴＲに固有な種々の情報を記憶するためのものであり、時計回路２４は、現在時刻情報等を出力するためのものである。
【００３４】
ページバッファメモリ２５は、１ページ分の印刷データを保存するためのものであり、プリントユニット２６は、用紙に画像を印刷するためのものであり、操作表示部２７は、ユーザがこの印刷装置ＰＴＲを操作するためのユーザ・インタフェースを構成するものである。
【００３５】
外部通信ユニット２８は、ＵＳＢ等の汎用通信ユニットからなり、デジタルスチルカメラ装置ＤＳＣ等の外部装置に接続し、これらの外部装置との間でデータのやりとりを行うためのものである。
【００３６】
これらのシステム制御部２１、システムメモリ２２、パラメータメモリ２３、時計回路２４、ページバッファ２５、プリントユニット２６、操作表示部２７、および、外部通信ユニット２８は、内部バス２９に接続され、これらの各部のデータのやりとりは、主としてこの内部バス２９を介して行われる。
【００３７】
印刷装置ＰＴＲに記憶される帳票データの一例を図４（ａ）に示す。印刷装置ＰＴＲには、この帳票データが複数記憶される。
【００３８】
帳票データは、１ページに配置する画像についてのレイアウト情報からなる画像合成情報と、１ページに付加する描画要素からなる帳票付加情報からなる。また、帳票付加情報に含まれる情報要素には、１ページに配置した画像に付加して描画する描画要素（画像関連付加描画データ）と、１ページに固定的に付加して描画する描画要素（固定付加描画データ）とがある。
【００３９】
画像合成情報は、同図（ｂ）に示すように、この帳票データで作成する１ページ分の帳票に含まれる画像数（Ｎ）と、それぞれの画像について、どの位置にどのように配置するかを定義するレイアウト情報＃１〜＃Ｎからなる。また、おのおののレイアウト情報は、同図（ｃ）に示すように、描画基準位置、描画サイズ、変倍態様、および、回転角度からなる。
【００４０】
すなわち、図５（ａ）に示すように、例えば、１ページの帳票に画像を配置する２つの表示枠ＦＬ１，ＦＬ２が設けられる場合、画像合成情報には、２つのレイアウト情報＃１，＃２が設けられる。そして、１つ目のレイアウト情報＃１の描画基準位置には、表示枠ＦＬ１の左上の点Ｐ１の座標値が保存され、描画サイズは、表示枠ＦＬ１の高さＨ１と幅Ｗ１が保存される。また、回転角度は、０°が保存され、変倍態様として「アスペクト比を維持」が保存される。同様に、２つ目のレイアウト情報＃２の描画基準位置には、表示枠ＦＬ２の左上の点Ｐ２の座標値が保存され、描画サイズは、表示枠ＦＬ２の高さＨ２と幅Ｗ２が保存される。また、回転角度は、０°が保存され、変倍態様として「アスペクト比を維持」が保存される。
【００４１】
ここで、回転角度については、図６（ａ）に示すように、基準点Ｐを基準とした枠ＦＬの回転角度が保存される。また、角度値のプラス値は反時計回り方向をあらわし、マイナス値は時計回り方向をあらわす。
【００４２】
また、変倍態様は、「アスペクト比（高さ寸法と幅寸法の比）を維持」と、「表示枠にフィット」の２種類がある。例えば、図６（ｂ）に示すように、表示枠ＦＬよりも大きいサイズの前景画像ＰＴを、表示枠ＦＬに配置する場合、「アスペクト比を維持」が設定されているときには、同図（ｃ）に示すように、高さ方向の画像が表示枠ＦＬに一致するように高さ方向と幅方向を同じ変倍率で変倍（この場合は、縮小）した縮小画像ＰＴａを、表示枠ＦＬに配置する。また、「表示枠にフィット」が設定されているときには、同図（ｄ）に示すように、高さ方向の寸法が表示枠ＦＬの高さ寸法に一致するように高さを変倍するとともに、幅方向の寸法が表示枠ＦＬの幅寸法に一致するように幅を変倍した縮小画像ＰＴｂを、表示枠ＦＬに配置する。
【００４３】
また、帳票付加情報は、図４（ｄ）に示すように、文字描画データ群、罫線描画データ群、グラフィック描画データ群、および、イメージ描画データ群からなる。
【００４４】
また、文字描画データ群は、Ｎｃ個の文字描画データからなり、それぞれの文字描画データは、画像インデックス値（後述）の小さいものから大きいものの順（昇順）に整列された態様に記憶されている。
【００４５】
また、罫線描画データ群は、Ｎｒ個の罫線描画データからなり、それぞれの罫線描画データは、画像インデックス値の昇順に整列された態様に記憶されている。
【００４６】
また、グラフィック描画データ群は、Ｎｇ個のグラフィック描画データからなり、それぞれのグラフィック描画データは、画像インデックス値の昇順に整列された態様に記憶されている。
【００４７】
また、イメージ描画データ群は、Ｎｉ個のイメージ描画データからなり、それぞれのイメージ描画データは、画像インデックス値の昇順に整列された態様に記憶されている。
【００４８】
ここで、画像インデックス値とは、画像合成情報に含まれるレイアウト情報に対応した画像を参照するための値であり、画像インデックス値が「１」とは、レイアウト情報＃１に配置される画像（すなわち、１番目の画像）に対応して付加される情報（画像関連付加描画データ）である旨をあらわしている。また、画像インデックス値が「０」とは、画像に関連しない付加情報（固定付加描画データ）である旨をあらわしている。
【００４９】
また、文字描画データは、図７（ａ）に示すように、帳票上の印字位置（印字基準位置座標）、文字サイズ、フォント種類、スタイル（ボールド、イタリック等）、文字色、印字文字列（印字する内容）、および、画像インデックス値からなる。例えば、図５（ｂ）のような帳票データの場合、右上の「Ｐ    ／    」の部分が文字描画データ＃１（画像インデックス値：０）により描画されるものである。なお、この場合の印字文字列は、例えば、「Ｐ  ｐｐ／ＰＰ」というような値で示される。ここで、「ｐｐ」は印刷ページ番号を示す定数であり、「ＰＰ」は総ページ数を示す定数である。
【００５０】
また、罫線描画データは、図７（ｂ）に示すように、帳票上の描画位置（描画基準位置座標）、長さ、罫線の間隔、罫線の太さ、罫線の色、罫線の本数、および、画像インデックス値からなる。例えば、図５（ｂ）のような帳票データの場合、２つの画像が配置され、１番目の画像と２番目の画像にそれぞれメモ欄として罫線部が設けられており、これらの罫線部は、それぞれ罫線描画データ＃１（画像インデックス値：１）と罫線描画データ＃２（画像インデックス値：２）で描画されるものである。
【００５１】
また、グラフィック描画データは、図７（ｃ）に示すように、描画の種類（直線の集合／ベジェ曲線の集合）、描画の方法（線のみ描画、内部塗りつぶし（Ｅｖｅｎ−Ｏｄｄ  ｒｕｌｅ、Ｎｏｎ−Ｚｅｒｏ  ｗｉｎｄｉｎｇ  ｒｕｌｅ）、線描画＋塗りつぶし）、線の色、線の太さ、描画位置（描画位置の集合、ベジェ曲線の場合制御点を含む）、および、画像インデックス値からなる。
【００５２】
また、イメージ描画データは、図７（ｄ）に示すように、帳票上の描画位置（描画基準位置座標）、ソース画像の幅および高さ、描画時の幅および高さ、色数（白黒、カラー２５６色、フルカラー）、データサイズ、イメージデータ（描画する内容）、および、画像インデックス値からなる。
【００５３】
さて、本実施例では、例えば、図５（ａ）〜（ｄ）に示すように、帳票に２つの画像を配置する場合、ユーザが３つの画像を選択したとすると、まず、１ページ目の帳票としては、同図（ｄ）に示すように２つの画像が配置された内容の合成出力が得られて、この合成出力の内容で１ページ目の印刷物が記録出力される。
【００５４】
次いで、２ページ目の帳票としては、図８に示すように、１番目の画像のレイアウト位置に３つ目の画像が配置され、１番目の画像に対応した罫線部が描画され、かつ、２番目の画像のレイアウト位置に対応した罫線部は描画されない内容の合成出力が得られて、この合成出力の内容で２ページ目の印刷物が記録出力される。
【００５５】
このようにして、本実施例では、印刷するページについて、配置される画像の数よりも、帳票の１ページ分に含まれる画像のレイアウト数が多い場合、画像が配置されないレイアウト部分については、対応する文字、罫線、グラフィック、および、イメージ（帳票要素）を印刷しないようにしているので、余分な帳票要素を省き、必要な帳票要素のみを含んで整った印刷物を得ることができるとともに、印刷装置ＰＴＲの色材（トナーやインク等）の消費を抑えることができることとなる。
【００５６】
図９は、本実施例にかかる印刷装置ＰＴＲの印刷処理の一例を示している。この印刷処理では、デジタルスチルカメラ装置ＤＳＣよりユーザが選択した複数枚の画像データが転送されてくるものを、ページ単位に記録出力している。
【００５７】
まず、ユーザは、いずれかの帳票データを選択する（処理１０１）。このとき、操作表示部２７に適宜な操作ガイダンスおよび帳票データの一覧表示を表示し、目的の帳票データを選択させるとよい。
【００５８】
次いで、１ページ中の画像数を記憶するための変数Ｃの値を０にクリアし（処理１０２）、デジタルスチルカメラ装置ＤＳＣより画像が入力されるかどうかを調べる（判断１０３）。判断１０３の結果がＹＥＳになるときには、変数Ｃの値を１つ増やして（処理１０４）、Ｃ番目のレイアウト情報（レイアウト情報＃Ｃ）に従って、入力した画像データを配置し描画命令を下位の処理レイヤへ発行する（処理１０５）。
【００５９】
ここで、変数Ｃの値が、１ページ中の画像数Ｎに等しくなったかどうかを調べ（判断１０６）、判断１０６の結果がＮＯになるときには、判断１０３へ戻り、次の画像が入力されるのを調べる。
【００６０】
また、画像の入力が終了した場合で、判断１０３の結果がＮＯになるときには、変数Ｃの値が０より大きいかどうかを調べ（判断１０７）、判断１０７の結果がＮＯになるときには、画像の印刷処理が完了したので、このときの処理を終了する。
【００６１】
また、１ページ分の画像の描画が終了した場合で判断１０６の結果がＹＥＳになるとき、および、画像の入力が終了したが、最終ページの排紙が終了していない場合で判断１０７の結果がＹＥＳになるときには、処理１０８へ進む。また、この時点では、変数Ｃには、印字対象となっているページに含まれる画像の数が保持される。
【００６２】
処理１０８では、帳票付加情報に含まれる全描画データを順にスキャンするための変数ｉの値を０に初期設定する。そして、帳票付加情報の全描画データのｉ番目の要素を取り出して、その画像インデックス値の値が変数Ｃの値よりも小さいかどうかを調べる（判断１０９）。
【００６３】
判断１０９の結果がＹＥＳになるときには、全描画データのｉ番目の要素の内容を描画する描画命令を下位の処理レイヤへ発行する（処理１１０）。また、判断１０９の結果がＮＯになるときには、処理１１０を行わない。
【００６４】
次に、変数ｉの値を１つ増やし（処理１１１）、全ての描画データについて処理を終了したかどうかを調べ（判断１１２）、判断１１２の結果がＮＯになるときには、判断１０９へ戻り、残りの描画データの要素について処理を行う。
【００６５】
また、判断１１２の結果がＹＥＳになるときには、描画したページを排紙し（処理１１３）、判断１０３へ戻り、次のページについての処理を行う。
【００６６】
なお、上述した実施例では、デジタルスチルカメラ装置ＤＳＣに印刷装置ＰＴＲを接続した場合について説明したが、デジタルスチルカメラ機能を有するデジタルビデオカメラ装置や、携帯端末装置（いわゆる、携帯電話等）についても、本発明を同様にして適用することができる。
【００６７】
また、本発明は、他のデータ処理装置（例えば、パーソナルコンピュータ装置）等と接続する印刷装置、画像読取機能と印刷機能を備えた複合機、複写機等についても同様に適用することができる。
【図面の簡単な説明】
【００６８】
【図１】本発明の一実施例にかかるデジタルスチルカメラ印刷システムの一例を示したブロック図。
【図２】デジタルスチルカメラ装置ＤＳＣの構成の一例を示したブロック図。
【図３】印刷装置ＰＴＲの構成例を示したブロック図。
【図４】帳票データの一例を示した概略図。
【図５】レイアウト、帳票データ、画像、および、合成出力の一例を示した概略図。
【図６】回転角度および変倍態様について説明するための概略図。
【図７】帳票付加情報の各種描画データの一例を示した概略図。
【図８】画像が少ない場合の合成出力例を示した概略図。
【図９】本実施例にかかる印刷装置ＰＴＲの印刷処理の一例を示したフローチャート。
【符号の説明】
【００６９】
ＤＳＣ  デジタルスチルカメラ
ＰＴＲ  印刷装置
【図１】
2006086580.tif 000003
【図２】
2006086580.tif 000004
【図３】
2006086580.tif 000005
【図４】
2006086580.tif 000006
【図５】
2006086580.tif 000007
【図６】
2006086580.tif 000008
【図７】
2006086580.tif 000009
【図８】
2006086580.tif 000010
【図９】
2006086580.tif 000011